(57)【要約】【課題】本考案は、紫外線等の光線を効果的に遮断可能であって、立体的な構造を有することにより自動車の運転等の作業を違和感なく効率的に行うことができ、装着時における肌との接触面積を減少させることにより通気性を高めて不快感無く長時間装着可能な、遮光装着具を提供することを課題とする。【解決手段】本考案は、遮光要求箇所に装着可能な遮光装着具１であって、前記遮光要求箇所を覆うべく形成された遮光本体部１０と、前記遮光要求箇所と前記遮光本体部１０との間に間隙部を形成すると共に、前記遮光本体部１０を前記遮光要求箇所に対応した形状に保持可能な介在枠体部５１〜５４，６１〜６７とを備えたことを特徴としている。【選択図】図１
0003162408.tif 000002
【実用新案登録請求の範囲】
【請求項１】
遮光要求箇所に装着可能な遮光装着具であって、
前記遮光要求箇所を覆うべく形成された遮光本体部と、
前記遮光要求箇所と前記遮光本体部との間に間隙部を形成すると共に、前記遮光本体部を前記遮光要求箇所に対応した形状に保持可能な介在枠体部とを備えた
ことを特徴とする遮光装着具。
【請求項２】
遮光要求箇所に装着可能な遮光装着具であって、
前記遮光要求箇所を覆うべく形成された遮光本体部と、
前記遮光要求箇所と前記遮光本体部との間に間隙部を形成すると共に、前記遮光本体部を前記遮光要求箇所に対応した形状に保持可能な介在枠体部とを備え、
前記遮光本体部が、布状の遮光性材料を用いて構成され、
前記介在枠体部が、可撓性材料を用いて構成されている
ことを特徴とする遮光装着具。
【考案の詳細な説明】
【技術分野】
【０００１】
本考案は、遮光装着具に関するものである。より具体的には、簡単に腕に装着可能な構成を有し、通気性が良好であると共に、紫外線等の光線を効果的に遮断（遮光）可能な遮光装着具に関するものである。
【背景技術】
【０００２】
従来から、紫外線等の光線による日焼けに対処するための手段（日焼防止手段）として、種々の化粧品や衣料等が用いられている。
【０００３】
特に、半袖のシャツ等、腕が露出した衣料を身に着ける季節になると、その露出部分（前腕部等）に対する日焼け防止手段が必要となる。例えば、夏等の日光の照射が強い季節に、自動車の運転を行う場合には、手，手首，前腕部等の露出部分の日焼け防止手段として、紫外線等の光線を遮断（遮光）可能な手袋等（以下、「遮光装着具」ともいう。）が用いられている（例えば、特許文献１参照）。
【先行技術文献】
【特許文献】
【０００４】
【特許文献１】実用新案登録第３０７４４５４号公報
【考案の概要】
【考案が解決しようとする課題】
【０００５】
しかしながら、従来技術にかかる手袋等の遮光装着具には、次のような問題があった。
【０００６】
特許文献１を含む従来技術にかかる手袋等は、平面的な構造を有するため、手や腕の動きに追従しづらいという問題があった。例えば、従来技術にかかる手袋等を装着して自動車の運転を行った場合には（ハンドル操作の際には）、ハンドルを握りにくい、ハンドルを回しにくい等の問題があった。
【０００７】
また、従来技術にかかる手袋等は、手あるいは腕等の全体を覆う構成であるため、通気性が悪く、装着時に蒸し暑さを感じるという問題があった。
【０００８】
さらに、従来技術にかかる手袋等は、装着時に肌に密着する構成であるため、長時間装着すると、汗等にて肌に付着して、蒸し暑さを感じたり不快感を覚えたりするという問題があった。
【０００９】
そこで、本考案は、上記従来技術の問題を解決するためになされたものであり、紫外線等の光線を効果的に遮断（遮光）可能であって、立体的な構造を有することにより自動車の運転等の作業を違和感なく効率的に行うことができ、装着時における肌との接触面積を減少させることにより通気性を高めて不快感無く長時間装着可能な、遮光装着具を提供することを課題とする。
【課題を解決するための手段】
【００１０】
本考案は、上記課題を解決するためになされたものであり、遮光要求箇所に装着可能な遮光装着具であって、前記遮光要求箇所を覆うべく形成された遮光本体部と、前記遮光要求箇所と前記遮光本体部との間に間隙部を形成すると共に、前記遮光本体部を前記遮光要求箇所に対応した形状に保持可能な介在枠体部とを備えたことを特徴としている。
【００１１】
本考案は、上述したように、前記遮光要求箇所（例えば、腕の外側面のみ）を覆うべく形成された前記遮光本体部を有している。すなわち、本考案にかかる遮光装着具は、従来技術のように、手あるいは腕等の全体を覆う構成ではないため、通気性が良好となり、装着時に蒸し暑さを感じることはない。また、本考案にかかる遮光装着具は、前記遮光要求箇所と前記遮光本体部との間に前記間隙部を有すべく構成されているため、前記遮光本体部が肌に密着せず、長時間装着しても汗等にて肌に付着しない。したがって、蒸し暑さを感じたり不快感を覚えたりすることがない。
【００１２】
さらに、本考案は、上記課題を解決するためになされたものであり、遮光要求箇所に装着可能な遮光装着具であって、前記遮光要求箇所を覆うべく形成された遮光本体部と、前記遮光要求箇所と前記遮光本体部との間に間隙部を形成すると共に、前記遮光本体部を前記遮光要求箇所に対応した形状に保持可能な介在枠体部とを備え、前記遮光本体部が、布状の遮光性材料を用いて構成され、前記介在枠体部が、可撓性材料を用いて構成されていることを特徴としている。
【００１３】
本考案にかかる遮光装着具は、従来技術のように、手あるいは腕等の全体を覆う構成ではないため、通気性が良好となり、装着時に蒸し暑さを感じることはない。また、前記遮光本体部が布状の遮光性材料を用いて構成されているため、柔らかで腕の動きに追従しやすく、紫外線等も効果的に遮断することができる。
【００１４】
また、本考案は、前記介在枠体部が可撓性材料を用いて構成されているため、従来技術と異なり、立体的な構造の遮光装着具を得ることができる。このような構成によれば、前記介在枠体部によって立体的形状が保持可能であるため、例えば、腕の外側のみを遮光するような構成（腕の反面だけを覆う構成）も容易に実現可能である。さらに、本考案にかかる遮光装着具は立体的な構造を有するため、装着時に手や腕の動きに追従し、例えば、装着した状態で自動車の運転を行った場合であっても、適切にハンドル操作を行うことができる。また、本考案にかかる遮光装着具は立体的な構造を有するため、容易に、前記遮光要求箇所と前記遮光本体部との間に前記間隙部を形成可能となる。したがって、本考案によれば、前記遮光本体部が肌に密着せず、肌にあたる面積を最小限に抑え、生地（遮光本体部）が浮いたような状態で、遮光装着具を身に着けることができる。このような構成であるため、本考案にかかる遮光装着具を長時間装着しても、汗等にて肌に付着せず、蒸し暑さを感じたり不快感を覚えたりすることがない。
【００１５】
さらに、本考案にかかる遮光装着具においては、前記介在枠体部が、可撓性材料である細線ワイヤー部と板状ワイヤー部とを用いて構成されることが好ましい。より具体的には、比較的細かい動きを必要とする箇所（例えば、指周辺部）の前記介在枠体部は前記細線ワイヤー部を用いて構成し、特に細かい動きを必要としない箇所（例えば、腕）の前記介在枠体部は前記板状ワイヤー部を用いて構成することが好ましい。
【００１６】
この好ましい構成によれば、前記介在枠体部によって遮光装着具を適切な立体的形状に保持すると共に、ハンドル操作等を容易に行うことができる。つまり、指周辺部等は前記細線ワイヤー部を用いて構成されているため、ハンドルを握る際でも指を曲げやすく、遮光装着具（を構成する前記介在枠体部）を違和感なく使用することができる。
【００１７】
また、本考案にかかる遮光装着具においては、適宜、必要な箇所で前記介在枠体部が分断（分割）された状態あるいは省略された状態に構成されることが好ましい。つまり、装着時の可動領域を拡大するために、指周辺部、手首周辺部、あるいは肘周辺部の適切な箇所にて、前記介在枠体部を省略したり、分断（分割）したりしてもよい。
このような構成によれば、立体的な構造を維持すると共に、ハンドル操作等を行いやすい遮光装着具を得ることができる。
【００１８】
さらに、本考案にかかる遮光装着具を構成する前記遮光本体部には、手首や肘等の屈折可動領域およびその近傍に、ダーツ部が設けられる構成が好ましい。
このような構成によれば、前記遮光本体部が手や腕の動きによくなじむため、手や腕の動きによって前記遮光本体部と腕等との隙間から光線が入りにくくなる。
【００１９】
また、本考案にかかる遮光装着具は、手の甲側にのみ前記遮光本体部を設け（すなわち、手の平側に前記遮光本体部を設けず）、前記手の甲側に設けられた前記遮光本体部の遮光本体下面部に、指挿入部（後述する第一指挿入部、第二指挿入部、第三指挿入部）を設ける構成であることが好ましい。
【００２０】
この好ましい構成によれば、手の平側には前記遮光本体部が設けられていないため（すなわち、手の平側が素手の状態であるため）、手の先や手の平にて細かい作業をすることができる。また、ハンドル（自動車やバイクや自転車等のハンドル）、ドアノブ、鞄や買い物籠の把手等を、適切にしっかりと握ることができる。加えて、このような構成によれば、指挿入部が設けられているため、手の甲側に設けられた前記遮光本体部は、きちんと手の動きに追従し、手の甲側は適切に遮光されると共に、手の平側の通気性を高めることができる。
【考案の効果】
【００２１】
本考案によれば、紫外線等の光線を効果的に遮断（遮光）可能であって、立体的な構造を有することにより自動車の運転等の作業を違和感なく効率的に行うことができ、装着時における肌との接触面積を減少させることにより通気性を高めて不快感無く長時間装着可能な、遮光装着具を得ることができる。
【図面の簡単な説明】
【００２２】
【図１】本考案の第一実施形態にかかる遮光装着具（右手用）の上面概略図を示したものである。
【図２】本考案の第一実施形態にかかる遮光装着具（右手用）の下面概略図を示したものである。
【図３】本考案の第一実施形態にかかる遮光装着具を右手に装着した状態の下面概略図を示したものである。
【図４】本考案の第一実施形態にかかる遮光装着具を右手に装着した状態の概略斜視図を示したものであって、図４（ａ）は上面側概略斜視図を示し、図４（ｂ）は下面側概略斜視図を示している。
【図５】図３に示した遮光装着具のＶ−Ｖ矢視線断面の簡略断面図を示したものであって、図５（ａ）は前腕部と第七板状ワイヤー部とが非接触状態にある場合の簡略断面図を示し、図５（ｂ）は前腕部と第七板状ワイヤー部の一部とが接触状態にある場合の簡略断面図を示している。
【図６】本考案の第二実施形態にかかる遮光装着具（右手用）の下面概略図を示したものである。
【図７】本考案の第三実施形態にかかる遮光装着具を右手に装着した状態の概略斜視図を示したものであって、図７（ａ）は上面側概略斜視図を示し、図７（ｂ）は下面側概略斜視図を示している。
【考案を実施するための形態】
【００２３】
以下、図面に基づいて、本考案の実施形態を説明する。
【００２４】
＜第一実施形態＞
図１は、本考案の第一実施形態にかかる遮光装着具（右手用）の上面概略図を示したものである。また、図２は、本考案の第一実施形態にかかる遮光装着具（右手用）の下面概略図を示したものである。さらに、図３は、本考案の第一実施形態にかかる遮光装着具を右手に装着した状態の下面概略図を示したものである。また、図４は、本考案の第一実施形態にかかる遮光装着具を右手に装着した状態の概略斜視図を示したものであって、図４（ａ）は上面側概略斜視図を示し、図４（ｂ）は下面側概略斜視図を示している。さらに、図５は、図３に示した遮光装着具のＶ−Ｖ矢視線断面の簡略断面図を示したものであって、図５（ａ）は前腕部と第七板状ワイヤー部とが非接触状態にある場合の簡略断面図を示し、図５（ｂ）は前腕部と第七板状ワイヤー部の一部とが接触状態にある場合の簡略断面図を示している。
【００２５】
図１および図２等に示すように、本実施形態にかかる遮光装着具１は、遮光本体部１０と、遮光本体下面部１０Ｂに設けられた複数の枠体構成部（第一外枠体構成部５１〜第四外枠体構成部５４、および第一内枠体構成部６１〜第七内枠体構成部６７）から成る介在枠体部と、遮光装着部１の装着時に指を挿入するために設けられた複数の指挿入部（第一指挿入部２１〜第三指挿入部２３）と、遮光装着部１を装着する際に腕等に固定するために設けられた複数の固定装着部（第一固定装着部３１〜第六固定装着部３６）とを用いて構成されている。
【００２６】
本実施形態にかかる遮光装着具１を構成する遮光本体部１０は、図１および図２等に示すように、遮光本体上面部１０Ａ（表面部）と遮光本体下面部１０Ｂ（裏面部）とを有し、少なくとも、遮光本体上面部１０Ａは、布状の遮光性材料を用いて構成されている。本実施形態においては、遮光本体上面部１０Ａと遮光本体下面部１０Ｂとは、一体的に（すなわち、一枚の布状部材を用いて）構成されていても、また、複数の布状部材を重ね合わせて構成されていてもよい。複数の布状部材を重ね合わせて遮光本体部１０を構成する場合、全ての布状部材が遮光性材料を用いて構成されても、また、表面部に位置する遮光本体上面部１０Ａのみが遮光性材料を用いて構成されてもよい。遮光性材料としては、例えば、綿、麻、レース、ウール、絹、皮革、合皮等、種々の材料があげられ、これらの材料（または他の材料）に対してＵＶ加工を施してもよい。
【００２７】
また、本実施形態にかかる遮光装着具１を構成する遮光本体部１０は、遮光要求箇所（本実施形態においては、手部Ｈ、手首部Ｗ、および前腕部Ａ）を覆うことが可能な形状に形成されている。さらに、この遮光本体部１０は、手部Ｈ、手首部Ｗ、および前腕部Ａの動きに追従しやすいように、立体的に裁断されている。加えて、本実施形態にかかる遮光本体部１０においては、図１および図２に示すように、手部Ｈの小指Ｆ５根元と手首部Ｗとの近傍に第一ダーツ部１１および第二ダーツ部１２が設けられ、前腕部Ａの肘部近傍の屈折可動領域に第三ダーツ部１３が設けられ、第三指挿入部２３近傍に第四ダーツ部が設けられている。
【００２８】
また、図１および図２等に示すように、本実施形態にかかる遮光装着具１を構成する遮光本体下面部１０Ｂには、複数の枠体構成部（外枠体構成部５１〜５４、および内枠体構成部６１〜６７）を用いて構成された介在枠体部が設けられている。本実施形態にかかる遮光装着具１を成す介在枠体部は、遮光装着具１を立体的に構成し、その立体的形状を維持することによって、遮光装着部１を装着した際に装着者（の手部Ｈ、手首部Ｗ、前腕部Ａ等）の肌との間に所定の間隙部Ｋ（図５参照）を形成すべく、遮光本体下面部１０Ｂに設けられている。
【００２９】
介在枠体部を成す外枠体構成部５１〜５４は、遮光本体下面部１０Ｂの外側端部に設けられている。図２に示すように、上方側端部に第一外枠体構成部５１が設けられ、右方側端部に第二外枠体構成部５２が設けれ、左方側端部に第三外枠体構成部５３が設けられ、下方側端部に第四外枠体構成部５４が設けられている。
【００３０】
ここで、第一外枠体構成部５１および第二外枠体構成部５２には、その内部に、それぞれ細線ワイヤー部７１，７２が内包されている。また、第三外枠体構成部５３および第四外枠体構成部５４には、それぞれ板状ワイヤー部８１，８２が内包されている。細線ワイヤー部７１，７２としては、例えば、直径が０．７ｍｍ〜１．５ｍｍ程度のワイヤーが用いられる。細線ワイヤー部７１，７２を構成するワイヤーとしては、直径が１．１ｍｍ程度であるものを用いることがより好ましい。板状ワイヤー部８１，８２としては、例えば、厚さが０．５ｍｍ〜１．５ｍｍ程度であり、幅が２ｍｍ〜１０ｍｍ程度のものが用いられる。この板状ワイヤー部８１，８２としては、厚さが１ｍｍ程度であり、幅が４ｍｍ程度のものを用いることがより好ましい。
【００３１】
また、本実施形態においては、遮光装着具１を装着した際に、装着者の肘近傍の動きを容易にするために（すなわち前腕部Ａの動きを容易にするために）、第二外枠体構成部５２を成す第二細線ワイヤー部７２が、所定の間隔を有して、第二細線ワイヤー上部７２ａと第二細線ワイヤー下部７２ｂとに分割した状態で構成されている。さらに、同様の理由に基づき、第三外枠体構成部５３を成す第一板状ワイヤー部８１も、所定の間隔を有して、第一板状ワイヤー上部８１ａと第一板状ワイヤー下部８１ｂとに分割した状態で構成されている。
【００３２】
本実施形態においては、指Ｆ１〜Ｆ５の先端部側に位置する第一外枠体構成部５１と、親指Ｆ１側に位置する（腕の内側部分の）第二外枠体構成部５２とが、細線ワイヤー部７１，７２を用いて構成されている。このような構成となっているのは、これらの部分が、細かい動きを必要とする箇所に近いからである。つまり、立体的な形状の保持も必要であるが、指Ｆ１〜Ｆ５の細かい動きにも対応する必要があるために、細線ワイヤー部７１，７２を用いて、第一外枠体構成部５１および第二外枠体構成部５２が構成されている。
【００３３】
これに対して、第三外枠体構成部５３および第四外枠体構成部５４は、その近傍において特に細かい動きを必要とするわけではないため、より強固に立体的な形状の保持が可能であるように構成されている。具体的には、上述したように、第三外枠体構成部５３および第四外枠体構成部５４は、その内部に、厚さが１ｍｍ程度であり、幅が４ｍｍ程度の板状ワイヤー部８１，８２が設けられている。
【００３４】
また、本実施形態にかかる遮光装着具１の遮光本体下面部１０Ｂには、その内部に、介在枠体部の一部を成す複数の内枠体構成部６１〜６７が設けられている。
【００３５】
より具体的には、図２に示すように、上方側端部に設けられた第一外枠体構成部５１の略中央部に接し、縦方向に第一内枠体構成部６１が設けられ、この第一内枠体構成部６１の下方側端部に接し、右方側端部および左方側端部に接するように、横方向に第二内枠体構成部６２が設けられている。さらに、図２に示すように、第二内枠体構成部６２から所定の間隔を隔てて、右方側端部および左方側端部に接するように、横方向に第三内枠体構成部６３が設けられ、第三内枠体構成部６３の略中央部に接し、縦方向に第四内枠体構成部６４が設けられ、第四内枠体構成部６４の下方側端部近傍に接し、右方側端部および左方側端部に接するように、横方向に第五内枠体構成部６５が設けられている。また、図２に示すように、下方側端部に設けられた第四外枠体構成部５４の略中央に接し、縦方向に第六内枠体構成部６６が設けられ、この第六外枠体構成部６６の上方側端部近傍に接し、右方側端部および左方側端部に接するように、横方向に第七外枠体構成部６７が設けられている。
【００３６】
本実施形態においては、第一外枠体構成部５１と第二内枠体構成部６２とが所定の間隔を隔てて略平行に設けられ、第二内枠体構成部６２と第三内枠体構成部６３とが所定間隔を隔てて略平行に設けられ、第三内枠体構成部６３と第五内枠体構成部６５とが所定間隔を隔てて略平行に設けられ、第五内枠体構成部６５と第七内枠体構成部６７とが所定間隔を隔てて略平行に設けられている。
【００３７】
また、本実施形態においては、第一内枠体構成部６１、第四内枠体構成部６４、および第六内枠体構成部６６が、遮光本体下面部１０Ｂの略中央に縦方向直線状に設けられている。そして、それぞれ、第一内枠体構成部６１と第四内枠体構成部６４との間が分断され、第四内枠体構成部６４と第六内枠体構成部６６との間が分断されている。この分断された領域に、先に説明した、第一ダーツ部１１、第二ダーツ部１２、および第三ダーツ部１３が設けられている。
【００３８】
さらに、本実施形態においては、第一内枠体構成部６１〜第七内枠体構成部６７の内部に、板状ワイヤー部（第三板状ワイヤー部８３〜第九板状ワイヤー部８９）が内包されている。板状ワイヤー部８３〜８９としては、例えば、厚さが０．５ｍｍ〜１．５ｍｍ程度であり、幅が２ｍｍ〜１０ｍｍ程度のものが用いられる。この板状ワイヤー部８３〜８９としては、厚さが１ｍｍ程度であり、幅が４ｍｍ程度のものを用いることがより好ましい。
【００３９】
本実施形態においては、上述したように、縦方向直線状に設けられた枠体構成部６１，６４，６６に、部分的に分断された領域（換言すれば、第二内枠体構成部６２と第三内枠体構成部６３との間の領域、および第五内枠体構成部６５と第七内枠体構成部６７との間の領域）が存在し、この領域にダーツ部１１，１２，１３が設けられている。また、上述したように、第二外枠体構成部５２を成す第二細線ワイヤー部７２が、所定の間隔を有して、第二細線ワイヤー上部７２ａと第二細線ワイヤー下部７２ｂとに分割した状態で構成され、第三外枠体構成部５３を成す第一板状ワイヤー部８１が、所定の間隔を有して、第一板状ワイヤー上部８１ａと第一板状ワイヤー下部８１ｂとに分割した状態で構成されている。
【００４０】
このように分断あるいは分割された領域は、遮光装着具１を装着した際に、手首部Ｗや肘部が位置する部分である。つまり、本実施形態においては、装着時に屈曲等する部分については、枠体構成部を分断し（省略し）、ダーツ部１１〜１３を設けることによって、装着しても動きやすく、装着感を感じさせない（動きの邪魔にならない）、遮光装着具１を得ることができる。加えて、本実施形態にかかる遮光装着具１においては、小指Ｆ５を挿入する第三指挿入部２３近傍にも第四ダーツ部１４が設けられているため、小指Ｆ５（およびその他の指Ｆ１〜Ｆ４）についても、より細かい動きが可能となる。
【００４１】
また、図１および図２等に示すように、本実施形態に遮光装着具１には、複数の指挿入部２１〜２３が設けられている。具体的には、遮光本体部１０の手部Ｈが位置する箇所の側方に親指Ｆ１を挿入するための第一指挿入部２１が設けられ、遮光本体部１０の手部Ｈが位置する箇所の遮光本体下面部１０Ｂに第二指挿入部２２と第三指挿入部２３とが設けられている。この第二指挿入部２２は、人差指Ｆ２を挿入するための人差指挿入部２２Ａと中指Ｆ３を挿入するための中指挿入部２２Ｂとを用いて構成されている。第三指挿入部２３は、第二指挿入部２２と所定間隔を有した状態で遮光本体下面部１０Ｂの端部近傍に設けられており、この第二指挿入部２２と第三指挿入部２３との間に薬指Ｆ４が挿入され、第三指挿入部２３に小指Ｆ５が挿入される。
【００４２】
本実施形態においては、第一指挿入部２１および第二指挿入部２２は、遮光本体部１０と同様の材料を用いて構成されている。また、本実施形態においては、第三指挿入部２３は、ゴム製部材（例えば、輪ゴム等）を用いて構構成されている。
但し、本考案はこの構成に限定されず、第一指挿入部２１、第二指挿入部２２、および第三指挿入部２３の形成材料は、上記のもの限定されず、必要に応じて、全ての挿入部２１〜２３がゴム製部材を用いて構成してもよく、また、全ての挿入部２１〜２３を布状部材（遮光性材料を含む。）を用いて構成してもよい。
【００４３】
さらに、図１および図２等に示すように、本実施形態においては、遮光本体部１０の外側端部に、複数の固定装着部３１〜３６が設けられている。この固定装着部３１〜３６は、遮光装着具１を適切に装着者の手部Ｈ、手首部Ｗ、および前腕部Ａに装着するためのものである。
【００４４】
図２等に示すように、第一固定装着部３１は、第一指挿入部２１の下方位置に設けられており、本実施形態においては、第一指挿入部２１と同様の素材（遮光本体部１０と同様の素材）を用いて構成されている。第一固定装着部３１には、第一面ファスナー部４１が設けられている。また、この第一固定装着部３１に対応する位置に（遮光本体部１０の左方側端部に）、第二固定装着部３２が設けられ、この第二固定装着部３２には、第一面ファスナー部４１に対応する位置に、第二面ファスナー部４２が設けられている。さらに、第二固定装着部３２には、第十板状ワイヤー部９１が内包されている。この第十板状ワイヤー部９１も、先に説明した板状ワイヤー部と同様に、厚さが１ｍｍ程度であり、幅が４ｍｍ程度のものを用いることが好ましい。
【００４５】
第一面ファスナー部４１と第二面ファスナー部４２とは、一方がフック面を有し、他方がループ面を有することによって、着脱自在に構成されている。本実施形態においては、第一面ファスナー部４１がフック面に構成されており、第二面ファスナー部４２がループ面に構成されている。
【００４６】
また、本実施形態においては、図２等に示すように、第五内枠体構成部６５から延設して、遮光本体部１０の左右両端部に、第三固定装着部３３と第四固定装着部３４とが設けられている。すなわち、第三固定装着部３３および第四固定装着部３４は、第五内枠体構成部６５と一体的に構成されている。第三固定装着部３３と第四固定装着部３４には、第五内枠体構成部６５と同様に、第七板状ワイヤー部８７が内包されている。つまり、一つの第七板状ワイヤー部８７が、第三固定装着部３３、第四固定装着部３４、および第五内枠体構成部６５を連通するように、内包されている。
【００４７】
さらに、第三固定装着部３３および第四固定装着部３４には、それぞれ対応する位置に、第三面ファスナー部４３および第四面ファスナー部４４が設けられている。第三面ファスナー部４３と第四面ファスナー部４４とは、一方がフック面を有し、他方がループ面を有することによって、着脱自在に構成されている。本実施形態においては、第三面ファスナー部４３がフック面に構成されており、第四面ファスナー部４４がループ面に構成されている。
【００４８】
また、本実施形態においては、図２等に示すように、第七内枠体構成部６７から延設して、遮光本体部１０の左右両端部に、第五固定装着部３５と第六固定装着部３６とが設けられている。すなわち、第五固定装着部３５および第六固定装着部３６は、第七内枠体構成部６７と一体的に構成されている。第五固定装着部３５と第六固定装着部３６には、第七内枠体構成部６７と同様に、第九板状ワイヤー部８９が内包されている。つまり、一つの第九板状ワイヤー部８９が、第五固定装着部３５、第六固定装着部３６、および第七内枠体構成部６７を連通するように、内包されている。
【００４９】
さらに、第五固定装着部３５および第六固定装着部３６には、それぞれ対応する位置に、第五面ファスナー部４５および第六面ファスナー部４６が設けられている。第五面ファスナー部４５と第六面ファスナー部４６とは、一方がフック面を有し、他方がループ面を有することによって、着脱自在に構成されている。本実施形態においては、第五面ファスナー部４５がフック面に構成されており、第六面ファスナー部４６がループ面に構成されている。
【００５０】
本実施形態にかかる遮光装着具１は、以上のように構成されている。そして、その構成に基づき、次に説明するように装着され、その結果、種々の作用効果を奏する。以下、図面に基づき、本実施形態にかかる遮光装着具１の装着使用方法およびその作用効果等を説明する。
【００５１】
図３は、本実施形態にかかる遮光装着具１を右手に装着した状態の下面概略図を示したものである。また、図４は、本実施形態にかかる遮光装着具１を右手に装着した状態の概略斜視図を示したものであって、図４（ａ）は上面側概略斜視図を示し、図４（ｂ）は下面側概略斜視図を示している。
【００５２】
本実施形態にかかる遮光装着具１を装着する場合、まずは、親指Ｆ１を第一指挿入部２１に挿入し、人差指Ｆ２を人差指挿入部２２Ａに挿入し、中指Ｆ３を中指挿入部２２Ｂに挿入し、小指Ｆ５を第三指挿入部２３に挿入する。この際、薬指Ｆ４は、第二指挿入部２２と第三指挿入部２３との間に挿入する。
【００５３】
次に、各挿入部２１〜２３に指Ｆ１〜Ｆ５を挿入した後、第一固定装着部３１の第一面ファスナー部４１と、第二固定装着部３２の第二面ファスナー部４２とを面着させる。次いで、第三固定装着部３３の第三面ファスナー部４３と、第四固定装着部３４の第四面ファスナー部４４とを接合して面着させる。次いで、第五固定装着部３５の第五面ファスナー部４５と、第六固定装着部３６の第六面ファスナー部４６とを面着させる。
【００５４】
すなわち、本実施形態にかかる遮光装着具１によれば、指Ｆ１〜Ｆ５を指挿入部２１〜２３に挿入し、それぞれ対応する固定装着具３１〜３６を面ファスナー部４１〜４６によって面着させるという簡単な方法によって、装着者は、遮光装着具１を装着することができる。つまり、本実施形態によれば、簡単な方法によって装着者の遮光要求箇所（日焼けを防止したい箇所：本実施形態においては、手部Ｈ、手首部Ｗ、および前腕部Ａの外側面）を適切に覆うことが可能な、遮光装着具１を得ることができる。
【００５５】
また、本実施形態によれば、それぞれ対応する固定装着具３１〜３６の面ファスナー部４１〜４６の面着状態を解除した後（離脱させた後）、各挿入部２１〜２３から指Ｆ１〜Ｆ５を抜くことによって、簡単に遮光装着具１を取り外すことができる。
【００５６】
本実施形態にかかる遮光装着具１は、以上のように、その構成に基づき簡単な方法にて使用可能であるため、その構成および使用方法等から、種々の作用効果を発揮する。以下、具体的に説明する。
【００５７】
本実施形態は、遮光要求箇所（日焼けを防止したい箇所）に装着可能な遮光装着具１であって、遮光要求箇所を覆うべく形成された遮光本体部１０と、遮光要求箇所と遮光本体部１０との間に間隙部Ｋを形成すると共に、遮光本体部１０を遮光要求箇所に対応した形状に保持可能な介在枠体部（外枠体構成部５１〜５４、内枠体構成部６１〜６７）とを備えたことを特徴としている。
【００５８】
本実施形態にかかる遮光装着具１は、上述したように、遮光要求箇所（例えば、腕の外側面のみ）を覆うべく形成された遮光本体部１０を有している。つまり、このような構成によれば、従来技術のように、手あるいは腕等の全体を覆う構成ではないため、通気性が良好となり、装着時に蒸し暑さを感じることはない。
【００５９】
また、本実施形態にかかる遮光装着具１は、遮光要求箇所と遮光本体部１０との間に間隙部Ｋを有すべく構成されているため、遮光本体部１０が装着者の肌に密着せず、長時間装着しても汗等にて肌に付着しない。したがって、本実施形態によれば、蒸し暑さを感じたり不快感を覚えたりすることがない。
【００６０】
さらに、本実施形態は、遮光要求箇所に装着可能な遮光装着具１０であって、遮光要求箇所を覆うべく形成された遮光本体部１０と、遮光要求箇所と遮光本体部１０との間に間隙部Ｋを形成すると共に、遮光本体部１０を遮光要求箇所に対応した形状に保持可能な介在枠体部（外枠体構成部５１〜５４、内枠体構成部６１〜６７）とを備え、遮光本体部１０が、布状の遮光性材料を用いて構成され、介在枠体部が、可撓性材料を用いて構成されていることを特徴としている。
【００６１】
本実施形態にかかる遮光装着具１は、上述したように、手部Ｈあるいは前腕部Ａ等の全体を覆う構成ではないため、通気性が良好となり、装着時に蒸し暑さを感じることはない。また、遮光本体部１０が布状の遮光性材料を用いて構成されているため、柔らかで腕の動きに追従しやすく、紫外線等も効果的に遮断することができる。
【００６２】
また、本実施形態によれば、介在枠体部（外枠体構成部５１〜５４、内枠体構成部６１〜６７）が可撓性材料（本実施形態においてはワイヤー部７１，７２，８１〜８９，９１）を用いて構成されているため、従来技術と異なり、立体的な構造の遮光装着具１を得ることができる。より具体的には、図５に示すように、立体的な形状を保持することができる。以下、図５について説明する。
【００６３】
図５は、図３に示した遮光装着具１のＶ−Ｖ矢視線断面の簡略断面図を示したものであって、より具体的には、図５（ａ）は前腕部Ａと第七板状ワイヤー部８７とが非接触状態にある場合の簡略断面図を示し、図５（ｂ）は前腕部Ａと第七板状ワイヤー部８７の一部とが接触状態にある場合の簡略断面図を示している。
【００６４】
この図５においては、図面の煩雑化を防ぐために、遮光本体部１０、第四内枠体構成部６４、第五内枠体構成部６５、第三固定装着部３３、第四固定装着部３４、第三面ファスナー部４３、および第四面ファスナー部４４の記載を省略し、第五内枠体構成部６５に内包されている第七板状ワイヤー部８７を中心として簡略断面図を示している。つまり、この図５においては、図３に示した遮光装着具１のＶ−Ｖ矢視線断面における簡略断面図として、第六板状ワイヤー部８６と第七板状ワイヤー部８７とを示している。
【００６５】
本実施形態にかかる遮光装着具１は、図２等に示すように、介在枠体部を構成する各枠体構成部５１〜５４，６１〜６７内に、ワイヤー部７１，７２，８１〜８９，９１を有している。つまり、ある程度の剛性と共に可撓性を有する材料（ワイヤー部）を用いることによって、遮光装着具１を立体的に構成することができる。したがって、本実施形態にかかる遮光装着具１によれば、例えば、図５（ａ）に示すように、通常の装着時においては、前腕部Ａと遮光本体部１０との間に、間隙部Ｋが形成されることとなる。また、遮光装着具１に外的な力が作用したとしても、図５（ｂ）に示すように、前腕部Ａには第七板状ワイヤー部８７の一部が接触するのみで（点接触するのみで）、前腕部Ａと遮光本体部１０との間には、依然として間隙部Ｋが形成されることとなる。この間隙部Ｋは、この第五内枠体構成部６５近傍にのみ形成されるわけではなく、当然のことながら、本実施形態にかかる遮光装着具１を構成する介在枠体部およびその近傍において形成される。
【００６６】
本実施形態にかかる遮光装着具１は、上述したように、立体的な構造を有するため、容易に、遮光要求箇所と遮光本体部１０との間に間隙部Ｋを形成可能となる。したがって、本実施形態によれば、遮光本体部１０が肌に密着しにくく、肌にあたる面積を最小限に抑え、生地（遮光本体部１０）が浮いたような状態で、遮光装着具１を身に着けることができる。このような構成であるため、本実施形態にかかる遮光装着具１を長時間装着しても、汗等にて肌に付着せず、蒸し暑さを感じたり不快感を覚えたりすることがない。
【００６７】
また、このような構成によれば、介在枠体部によって立体的形状が保持可能であるため、例えば、腕の外側のみを遮光するような構成（腕の反面だけを覆う構成）も容易に実現可能である。さらに、本実施形態にかかる遮光装着具１は立体的な構造を有するため、装着時に手や腕の動きに追従し、例えば、装着した状態で自動車の運転を行った場合であっても、適切にハンドル操作を行うことができる。
【００６８】
さらに、本実施形態にかかる遮光装着具１においては、介在枠体部（外枠体構成部５１〜５４、内枠体構成部６１〜６７）が、可撓性材料である細線ワイヤー部７１，７２と板状ワイヤー部８１〜８９，９１とを用いて構成されている。より具体的には、比較的細かい動きを必要とする箇所（例えば、指Ｆ１〜Ｆ５周辺部）は細線ワイヤー部７１，７２を用いて構成し、特に細かい動きを必要としない箇所（例えば、前腕部Ａ）は板状ワイヤー部８１〜８９，９１を用いて構成されている。
【００６９】
したがって、本実施形態によれば、介在枠体部によって遮光装着具１を適切な立体的形状に保持すると共に、ハンドル操作等を容易に行うことができる。つまり、指Ｆ１〜Ｆ５周辺部等は細線ワイヤー部７１，７２を用いて構成されているため、ハンドルを握る際でも指を曲げやすく、遮光装着具１（を構成する介在枠体部）を違和感なく使用することができる。
【００７０】
また、本実施形態にかかる遮光装着具１においては、適宜、必要な箇所で介在枠体部（あるいは介在枠体部を構成するワイヤー部）が分割・分断された状態に構成されている。つまり、装着時の可動領域を拡大するために、指Ｆ１〜Ｆ５周辺、手首部Ｗ周辺、あるいは肘周辺の適切な箇所にて、介在枠体部やワイヤー部を分割・分断している。このような構成によれば、立体的な構造を維持すると共に、ハンドル操作等を行いやすい遮光装着具１を得ることができる。
【００７１】
さらに、本実施形態にかかる遮光装着具１を成す遮光本体部１０には、手首部Ｗや肘等の屈折可動領域およびその近傍に、ダーツ部１１〜１４が設けられている。このような構成によれば、遮光本体部１が指や手や腕の動きによくなじむため、指や手や腕の動きによって遮光本体部１０と腕等との隙間から光線が入りにくくなり、適切に日焼け防止することができる。
【００７２】
また、本実施形態にかかる遮光装着具１においては、手の甲側にのみ遮光本体部１０を設け（すなわち、手の平側に遮光本体部１０を設けず）、手の甲側に設けられた遮光本体部１０の遮光本体下面部Ｂに、指挿入部２１〜２３が設けられている。
【００７３】
このような構成によれば、手の平側には遮光本体部１０が設けられていないため（すなわち、手の平側が素手の状態であるため）、手の先や手の平にて細かい作業をすることができる。また、このような構成によれば、ハンドル（自動車やバイクや自転車等のハンドル）、ドアノブ、鞄や買い物籠の把手等を、適切にしっかりと握ることができる。加えて、このような構成によれば、指挿入部２１〜２３が設けられているため、手の甲側に設けられた遮光本体部１０は、きちんと手の動きに追従し、手の甲側は適切に遮光されると共に、手の平側の通気性を高めることができる。
【００７４】
以上のことから、本実施形態によれば、紫外線等の光線を効果的に遮断（遮光）可能であって、立体的な構造を有することにより自動車の運転等の作業を違和感なく効率的に行うことができ、装着時における肌との接触面積を減少させることにより通気性を高めて不快感無く長時間装着可能な、遮光装着具１を得ることができる。
【００７５】
＜第二実施形態＞
次に、本考案の第二実施形態にかかる遮光装着具２について説明する。図６は、本考案の第二実施形態にかかる遮光装着具２（右手用）の下面概略図を示したものである。
【００７６】
この図６に示すように、本実施形態にかかる遮光装着具２は、その基本的な構造は、先に説明した第一実施形態にかかる遮光装着具１（図１〜図５参照）と同様である。したがって、ここでは、第一実施形態にかかる遮光装着具１と同様の構成要素は、同様の符号を用いて、その説明を割愛する。以下においては、本考案の第二実施形態にかかる遮光装着具２の特徴部分についてのみ主に説明する。
【００７７】
先に説明した第一実施形態と本実施形態にかかる遮光装着具２との違いは、第一外枠体構成部５１と第二外枠体構成部５２である。より具体的には、それぞれの外枠体構成部５１，５２に内包されている細線ワイヤー部２７１，２７２が異なる。
【００７８】
本実施形態にかかる遮光装着具２においては、図６に示すように、第一外枠体構成部５１内に、第一実施形態よりも短い寸法を有する（遮光本体部１０の上方側端部の半分程度までの寸法を有する）第一細線ワイヤー部２７１が設けられている。つまり、本実施形態にかかる遮光装着具２を構成する第一細線ワイヤー部２７１は、第三外枠体部構成部５３から第一内枠体構成部６１までの寸法を有すべく構成されている。
【００７９】
また、本実施形態にかかる遮光装着具２においては、図６に示すように、第二外枠体構成部５２内に、第一実施形態よりも短い寸法を有する第二細線ワイヤー部２７２が設けられている。具体的には、本実施形態にかかる遮光装着具２を構成する第二細線ワイヤー部２７２は、第四外枠体部構成部５４から第二内枠体構成部６２までの寸法を有すべく構成されている。さらに、第二細線ワイヤー部２７２は、所定の間隔を有して、第二細線ワイヤー上部２７２ａと第二細線ワイヤー下部２７２ｂとに分割した状態で構成されている（この部分の構成は（分割された構成は）、第一実施形態と同様である。）。
【００８０】
すなわち、本実施形態にかかる遮光装着具２においては、第一実施形態との対比において、第二指挿入部２２近傍の細線ワイヤー部を省略した構成を有している。
【００８１】
このような構成によれば、人差指Ｆ２および中指Ｆ３にて細かい作業を行った場合であっても、より違和感の少ない遮光装着具２を得ることができる。つまり、本実施形態によれば、より細かい作業に適した遮光装着具２を得ることができる。
【００８２】
さらに、本実施形態にかかる遮光装着具２は、基本的に第一実施形態にかかる遮光装着具１と同様の構成を有するため、先に説明した第一実施形態と同様の作用効果を得ることができる。つまり、本実施形態によれば、紫外線等の光線を効果的に遮断（遮光）可能であって、立体的な構造を有することにより自動車の運転等の作業を違和感なく効率的に行うことができ、装着時における肌との接触面積を減少させることにより通気性を高めて不快感無く長時間装着可能な、遮光装着具２を得ることができる。
【００８３】
＜第三実施形態＞
次に、本考案の第三実施形態にかかる遮光装着具３について説明する。図７は、本考案の第三実施形態にかかる遮光装着具３を右手に装着した状態の概略斜視図を示したものであって、図７（ａ）は上面側概略斜視図を示し、図７（ｂ）は下面側概略斜視図を示している。
【００８４】
この図７に示すように、本実施形態にかかる遮光装着具３は、その基本的な構造は、先に説明した第一実施形態にかかる遮光装着具１（図１〜図５参照）と同様である。したがって、ここでは、第一実施形態にかかる遮光装着具１と同様の構成要素は、同様の符号を用いて、その説明を割愛する。以下においては、本考案の第三実施形態にかかる遮光装着具３の特徴部分についてのみ主に説明する。
【００８５】
先に説明した第一実施形態と本実施形態にかかる遮光装着具３との違いは、遮光本体部の寸法である。つまり、第一実施形態においては、図３および図４に示すように、前腕部Ａから肘を経て上腕部の一部まで覆うように、遮光本体部１０（遮光本体上面部１０Ａ、遮光本体下面部１０Ｂ）が構成されているが、本実施形態においては、図７に示すように、前腕部Ａから肘の手前くらいまでの部分を覆うように、遮光本体部３１０（遮光本体上面部３１０Ａ、遮光本体下面部３１０Ｂ）が構成されている。
【００８６】
上述したように、第一実施形態と本実施形態との違いは、遮光本体部の寸法であり、どのような寸法の遮光装着具を使用するかは、装着者の好みやその日の服装等によるものである。そして、当然のことながら、どのような寸法の遮光装着具であっても、本考案の技術的範囲に属する。
【００８７】
すなわち、本実施形態にかかる遮光装着具３も、基本的に第一実施形態にかかる遮光装着具１と同様の構成を有するため、先に説明した第一実施形態と同様の作用効果を得ることができる。つまり、本実施形態によれば、紫外線等の光線を効果的に遮断（遮光）可能であって、立体的な構造を有することにより自動車の運転等の作業を違和感なく効率的に行うことができ、装着時における肌との接触面積を減少させることにより通気性を高めて不快感無く長時間装着可能な、遮光装着具３を得ることができる。
【００８８】
＜その他の実施例等＞
なお、本考案は、上記実施形態に限定されるものではなく、本考案の趣旨に適合し得る範囲で必要に応じて種々の変更を加えて実施することも可能であり、それらはいずれも本考案の技術的範囲に含まれる。
【００８９】
上記実施形態においては、遮光要求箇所が腕である場合について説明したが、本考案はこの構成に限定されない。したがって、例えば、脚やその他の部位が遮光要求箇所であっても、その形状に対応した遮光本体部と介在枠体部とを用いることによって、本考案にかかる遮光装着具を実現可能である。
【００９０】
また、上記実施形態においては、手部Ｈ、手首部Ｗ、および前腕部Ａを覆う遮光装着具について説明したが、本考案はこの構成に限定されない。したがって、例えば、手部Ｈのみ、あるいは手首部Ｗのみ等、必要な部位に対応した遮光本体部と介在枠体部とを用いることによって、本考案にかかる遮光装着具を実現可能である。
【００９１】
さらに、本考案にかかる遮光装着具を構成する介在枠体部は、上記実施形態の形状に限定されず、必要か箇所あるいは部位に応じて、適宜その形状を変更可能である。
【００９２】
また、上記実施形態においては、可撓性材料として、ワイヤー部を用いる場合について説明したが、本考案はこの構成に限定されない。したがった、例えば、可撓性材料として、プラスチック材料、ゴム材料、その他の合成樹脂材料等を用いて、遮光装着具を構成することも可能である。
【産業上の利用可能性】
【００９３】
先に述べたように、従来技術にかかる手袋等は、平面的な構造を有するため、手や腕の動きに追従しづらく、手あるいは腕等の全体を覆うと共に肌に密着する構成であるため、通気性が悪く、汗等にて肌に付着して、蒸し暑さを感じたり不快感を覚えたりするという問題があった。
【００９４】
これに対し、本考案によれば、上述した種々の問題を解決することが可能である、様々な構成および機能的な特徴を有した遮光装着具を提供することができる。すなわち、本考案によれば、紫外線等の光線を効果的に遮断（遮光）可能であって、立体的な構造を有することにより自動車の運転等の作業を違和感なく効率的に行うことができ、装着時における肌との接触面積を減少させることにより通気性を高めて不快感無く長時間装着可能な、遮光装着具を得ることができる。
【符号の説明】
【００９５】
１…遮光装着具（第一実施形態にかかる遮光装着具）
２…遮光装着具（第二実施形態にかかる遮光装着具）
３…遮光装着具（第三実施形態にかかる遮光装着具）
１０…遮光本体部
１０Ａ…遮光本体上面部（表面部）
１０Ｂ…遮光本体下面部（裏面部）
１１…第一ダーツ部
１２…第二ダーツ部
１３…第三ダーツ部
１４…第四ダーツ部
２１…第一指挿入部
２２…第二指挿入部
２２Ａ…人差指挿入部
２２Ｂ…中指挿入部
２３…第三指挿入部
３１…第一固定装着部
３２…第二固定装着部
３３…第三固定装着部
３４…第四固定装着部
３５…第五固定装着部
３６…第六固定装着部
４１…第一面ファスナー部（フック面）
４２…第二面ファスナー部（ループ面）
４３…第三面ファスナー部（フック面）
４４…第四面ファスナー部（ループ面）
４５…第五面ファスナー部（フック面）
４６…第六面ファスナー部（ループ面）
５１…第一外枠体構成部
５２…第二外枠体構成部
５３…第三外枠体構成部
５４…第四外枠体構成部
６１…第一内枠体構成部
６２…第二内枠体構成部
６３…第三内枠体構成部
６４…第四内枠体構成部
６５…第五内枠体構成部
６６…第六内枠体構成部
６７…第七内枠体構成部
７１…第一細線ワイヤー部
７２…第二細線ワイヤー部
７２ａ…第二細線ワイヤー上部
７２ｂ…第二細線ワイヤー下部
８１…第一板状ワイヤー部
８１ａ…第一板状ワイヤー上部
８１ｂ…第一板状ワイヤー下部
８２…第二板状ワイヤー部
８３…第三板状ワイヤー部
８４…第四板状ワイヤー部
８５…第五板状ワイヤー部
８６…第六板状ワイヤー部
８７…第七板状ワイヤー部
８８…第八板状ワイヤー部
８９…第九板状ワイヤー部
９１…第十板状ワイヤー部
２７１…第一細線ワイヤー部
２７２…第二細線ワイヤー部
２７２ａ…第二細線ワイヤー上部
２７２ｂ…第二細線ワイヤー下部
３１０…遮光本体部
３１０Ａ…遮光本体上面部（表面部）
３１０Ｂ…遮光本体下面部（裏面部）
Ｋ…間隙部
Ｆ１…親指、Ｆ２…人差指、Ｆ３…中指、Ｆ４…薬指、Ｆ５…小指
Ｈ…手部
Ｗ…手首部
Ａ…前腕部
【図１】
0003162408.tif 000003
【図２】
0003162408.tif 000004
【図３】
0003162408.tif 000005
【図４】
0003162408.tif 000006
【図５】
0003162408.tif 000007
【図６】
0003162408.tif 000008
【図７】
0003162408.tif 000009